(57)【要約】【課題】美観の大幅な向上を図り、長期間の使用にも十分に耐え得る貼着強度を有する段差被覆構造とそれに用いる段差被覆材を提供する。【解決手段】立ち上がり面１ａと水平面１ｂからなる段差コーナー１と、該段差コーナー１の水平面１ｂから続く床面２を被覆材３，４により被覆した段差被覆構造であって、立ち上がり部３ａと立ち上がり部３ａの上端から略水平方向に折り曲げられた水平部３ｂを備えた段差コーナー被覆部３０と、段差コーナー被覆部３０の水平部３ｂから床面２側に向けて設けられた延設薄層３ｃとを有する断面が略逆Ｌ字状の段差被覆材１の段差コーナー被覆部３０により段差コーナー１を被覆すると共に、床面２と延設薄層３ｃとを床被覆材１により一体に接着被覆した構成とする。【選択図】図１
2017025632.tif 000002
【特許請求の範囲】
【請求項１】
立ち上がり面と水平面からなる段差コーナーと、該段差コーナーの水平面から続く床面を被覆材により被覆した段差被覆構造であって、
立ち上がり部と該立ち上がり部の上端から略水平方向に折り曲げられた水平部を備えた段差コーナー被覆部と、該段差コーナー被覆部の水平部から床面側に向けて設けられた延設薄層とを有する断面が略逆Ｌ字状の段差被覆材の段差コーナー被覆部により上記段差コーナーを被覆すると共に、上記床面と上記延設薄層とを床被覆材により一体に接着被覆したことを特徴とする段差被覆構造。
【請求項２】
立ち上がり面と水平面からなる複数の段差コーナーと、最上段以外の段差コーナーの水平面から続く階段の踏み面と、最上段の段差コーナーの水平面から続く床面と、を被覆材により被覆した段差被覆構造であって、
上記最上段以外の段差コーナー、及び、該段差コーナーの水平面から続く階段の踏み面の略全面を、立ち上がり部と該立ち上がり部の上端から略水平方向に折り曲げられた踏み面被覆部を備えた、断面が略逆Ｌ字状の段差被覆材（Ａ）により被覆し、
上記最上段の段差コーナーを、立ち上がり部と該立ち上がり部の上端から略水平方向に折り曲げられた水平部を備えた段差コーナー被覆部を有すると共に、該段差コーナー被覆部の水平部から床面側に向けて設けられた延設薄層を有する、断面が略逆Ｌ字状の段差被覆材（Ｂ）の段差コーナー被覆部により被覆し、
上記最上段の段差コーナーの水平面から続く床面と上記段差被覆材（Ｂ）の延設薄層とを、床被覆材により一体に接着被覆したことを特徴とする段差被覆構造。
【請求項３】
段差コーナー被覆部の水平部の裏面に薄層を積層一体化することにより延設薄層が設けられた段差被覆材を用いて、段差コーナー、及び、段差コーナーの水平面から続く床面が被覆されていることを特徴とする請求項１又は請求項２に記載の段差被覆構造。
【請求項４】
立ち上がり部と、立ち上がり部の上端から略水平方向に折り曲げられた水平部とを備えた段差コーナー被覆部を有する、断面が略逆Ｌ字状の段差被覆材であって、上記段差コーナー被覆部の水平部の端縁から薄層を延設して延設薄層が設けられていることを特徴とする段差被覆材。
【発明の詳細な説明】
【技術分野】
【０００１】
本発明は、廊下に続く階段や踊り場を有する階段、或いは、エントランスのように、段差コーナーと、その段差コーナーから続く床面を合成樹脂製又はゴム製等の被覆材により被覆した段差被覆構造とそれに用いる段差被覆材に関するものである。
【背景技術】
【０００２】
階段下地に貼り付ける床シートとして、本出願人は、床シート表面の踏み面、コーナー部、蹴上げの各部位の少なくとも踏み面部位に凸模様を有する樹脂層に、弾性を有する発泡層が裏面側から接合一体化され、コーナー部位で裏面側に略９０°折れ曲がっている階段用床材を提案している（特許文献１）。
【０００３】
上記特許文献１の階段用床材は、遮音性が高くて踏み圧感もよく、万一昇降時に転んだとしても、その人の怪我を軽いものとするなどの優れた効果を奏することから、階段下地に貼着する床材として好適に用いられている。
【先行技術文献】
【特許文献】
【０００４】
【特許文献１】特開平１０−１０２７１３号公報
【発明の概要】
【発明が解決しようとする課題】
【０００５】
上記のように、特許文献１の階段用床材は、階段下地に貼り付ける床シートとして優れたものであるが、次のような問題もあった。
即ち、廊下に続く階段や踊り場を有する階段、或いは、エントランスのように、被覆する箇所が、段差コーナーと、その段差コーナーから続く床面を有する場合、上記特許文献１の階段用床材は、段差コーナーだけでなく床面の一部までを被覆する踏み面部位を有するため、床面に敷設されている既設の床材と階段用床材との意匠感が異なることがあった。このように、階段用床材と床材の意匠感が異なると、違和感を抱いたり、全体としての美観が損なわれる恐れがあった。
また、階段用床材の踏み面部位と床材とは、シーリング材の充填や樹脂製溶接棒による熔接により接合することになるが、階段用床材の踏み面部位と床材との継目部分が床面にコ字状に表れて、目立つこともあった。
更に、階段の最上段の段差コーナーは、階段昇降時に最も負荷のかかる部分であり、ずれが生じたり剥がれたりすると転落事故を引き起しかねない部分でもあるため、施工直後から長期使用に至るまで安定した固定強度を発現できるようにしたいという潜在的な要請もあった。
【０００６】
本発明は上記の問題に鑑みてなされたもので、その解決しようとする課題は、段差コーナーを被覆する段差被覆材が目立たないようにすることで、美観の大幅な向上を図り、また、長期間の使用にも十分に耐え得る固定強度を有する段差被覆構造とそれに用いる段差被覆材を提供することにある。
【課題を解決するための手段】
【０００７】
上記目的を達成するため、本発明に係る段差被覆構造は、立ち上がり面と水平面からなる段差コーナーと、該段差コーナーの水平面から続く床面を被覆材により被覆した段差被覆構造であって、立ち上がり部と該立ち上がり部の上端から略水平方向に折り曲げられた水平部を備えた段差コーナー被覆部と、該段差コーナー被覆部の水平部から床面側に向けて設けられた延設薄層とを有する断面が略逆Ｌ字状の段差被覆材の段差コーナー被覆部により上記段差コーナーを被覆すると共に、上記床面と上記延設薄層とを床被覆材により一体に接着被覆したことを特徴とするものである。
なお、ここで「接着」とは、所謂、接着剤による「接着」だけでなく、粘着剤による「粘着」も含む広い概念である。
【０００８】
また、本発明のもう一つの段差被覆構造は、立ち上がり面と水平面からなる複数の段差コーナーと、最上段以外の段差コーナーの水平面から続く階段の踏み面と、最上段の段差コーナーの水平面から続く床面と、を被覆材により被覆した段差被覆構造であって、上記最上段以外の段差コーナー、及び、該段差コーナーの水平面から続く階段の踏み面の略全面を、立ち上がり部と該立ち上がり部の上端から略水平方向に折り曲げられた踏み面被覆部を備えた、断面が略逆Ｌ字状の段差被覆材（Ａ）により被覆し、上記最上段の段差コーナーを、立ち上がり部と該立ち上がり部の上端から略水平方向に折り曲げられた水平部を備えた段差コーナー被覆部を有すると共に、該段差コーナー被覆部の水平部から床面側に向けて設けられた延設薄層を有する、断面が略逆Ｌ字状の段差被覆材（Ｂ）の段差コーナー被覆部により被覆し、上記最上段の段差コーナーの水平面から続く床面と上記段差被覆材（Ｂ）の延設薄層とを、床被覆材により一体に接着被覆したことを特徴とする。
【０００９】
本発明の段差被覆構造においては、段差コーナー被覆部の水平部の裏面に薄層を積層一体化することにより延設薄層が設けられた段差被覆材を用いて、段差コーナー、及び、段差コーナーの水平面から続く床面が被覆されていることが好ましい。
【００１０】
次に、上記のような段差被覆構造に用いられる本発明の段差被覆材は、立ち上がり部と、立ち上がり部の上端から略水平方向に折り曲げられた水平部とを備えた段差コーナー被覆部を有する、断面が略逆Ｌ字状の段差被覆材であって、上記段差コーナー被覆部の水平部の端縁から薄層を延設して延設薄層が設けられていることを特徴とするものである。
【発明の効果】
【００１１】
本発明の段差被覆構造は、立ち上がり面と水平面からなる段差コーナーを段差被覆材により被覆し、その段差コーナーから続く床面を床被覆材により被覆するものであって、段差被覆材により被覆する箇所が床面まで達することがないため、段差被覆材が目立つことはない。従って、段差被覆材の意匠感が床被覆材の意匠感と多少異なっていたとしても、違和感を抱くことが殆どなく、それと共に、段差被覆材と床被覆材の継目も目立たち難くなるため、全体としての美観が大幅に向上される。しかも、段差被覆材には延設薄層が設けられているため、段差被覆材の段差コーナー被覆部が段差コーナーに接着被覆されるだけでなく、延設薄層も床面に接着被覆されることになるため、広大な接着面積を有し、それに加えて、延設薄層は、段差コーナー及び床面だけでなく床被覆材とも接着一体化されるため、極めて強固に接着被覆されて、ずれが生じたり剥がれたりする不具合が発生する心配がなくなる。つまり、床面と床被覆材との間で挟まれるようにして、強固に接着固定されていることになる。このため、段差コーナー被覆部が踏まれて、段差被覆材全体が前方にずれようとする力が加わったとしても、延設薄層が前方にずれようとする力に抗して不具合の発生を防ぐことができる。そして、このような延設薄層が設けられていると、段差被覆材と床被覆材の継目から、万一水が浸入したとしても、継目の下方には延設薄層が存在するため、浸入した水が床面まで達することもない。
【００１２】
また、本発明のもう一つの段差被覆構造は、上記の段差被覆構造と同様に、最上段の段差コーナーを被覆する段差被覆材（Ｂ）が目立たないため、段差被覆材の意匠感が床被覆材の意匠感と多少異なっていたとしても、違和感を抱くことが殆どなく、段差被覆材と床被覆材の継目も目立たち難くなるため、全体としての美観が大幅に向上される。この段差被覆材（Ｂ）にも延設薄層が設けられていることから、上記と同様に広大な接着面積を有し、延設薄層は、段差コーナー及び床面だけでなく床被覆材とも接着一体化されるため、極めて強固に接着被覆されて、ずれが生じたり剥がれたりする不具合が発生する心配がなくなると共に、段差被覆材と床被覆材の継目から、万一水が浸入したとしても、継目の下方には延設薄層が存在するため、浸入した水が床面まで達することもない。このような段差被覆構造は、特に、廊下に続く階段や踊り場を有する階段などに施工するのに適している。
【００１３】
そして、段差コーナー被覆部の水平部の裏面に薄層を積層一体化することにより延設薄層が設けられた段差被覆材を用いて、段差コーナー、及び、段差コーナーの水平面から続く床面が被覆されていると、水平部と延設薄層が強固に接合されるため、段差被覆材の水平部が段差コーナーに強固に接着被覆されて、安全性が大幅に向上する。
【００１４】
次に、上記のような段差被覆構造に用いられる本発明の段差被覆材は、立ち上がり部と、立ち上がり部の上端から略水平方向に折り曲げられた水平部とを備えた段差コーナー被覆部を有する、断面が略逆Ｌ字状の段差被覆材であって、上記段差コーナー被覆部の水平部の端縁から薄層を延設して延設薄層が設けられていることを特徴とし、このような段差被覆材を用いて、廊下に続く階段や踊り場を有する階段、或いは、エントランスなどの段差コーナーを被覆すると、前述したような優れた効果を奏する段差被覆構造を、簡単に構築することができる。
【図面の簡単な説明】
【００１５】
【図１】本発明の一実施形態に係る段差被覆構造を示す要部断面図である。
【図２】同被覆構造を示すものであって、段差被覆材を接着被覆する前の状態の断面図である。
【図３】同被覆構造を示すものであって、段差被覆材を接着被覆した状態の断面図である。
【図４】同被覆構造に用いる本発明の一実施形態に係る段差被覆材を示す斜視図である。
【図５】もう一つの本発明の段差被覆構造を示す概略平面図である。
【図６】図５のＡ−Ａ線端面図である。
【図７】図５のＢ−Ｂ線端面図である。
【発明を実施するための形態】
【００１６】
以下、図面を参照して本発明の具体的な実施形態を詳述する。
【００１７】
図１に示す本発明の段差被覆構造は、立ち上がり面１ａと、立ち上がり面１ａの上端から水平方向に略９０°屈曲した水平面１ｂとからなる段差コーナー１（図中の丸で囲んだ部分）を、合成樹脂製の段差被覆材３で被覆すると共に、その段差コーナー１の水平面１ｂから奥行き方向に続く床面２を、合成樹脂製の床被覆材４により被覆したものであって、主にマンションや公共施設のエントランスなどのように、段差コーナー１が一つの箇所に好適に施工される。
【００１８】
ここでは、立ち上がり面１ａと水平面１ｂの交点から、下向き方向に５〜３００ｍｍ程度までの箇所を立ち上がり面１ａという。また、該交点から奥行き方向（床面２側）に５〜１００ｍｍ程度までの箇所を水平面１ｂといい、これら立ち上がり面１ａと水平面１ｂからなるコーナー部を段差コーナー１という。
なお、図中の一段下方の床面２（平面）から上段の床面２へと続く立設面の全てを立ち上がり面１ａとし、その立ち上がり面１ａの全て、及び、その上端から略９０°屈曲した水平面１ｂ（５〜１００ｍｍ程度）を段差コーナー１とし、その段差コーナー１を段差被覆材３により被覆してもよい。
【００１９】
上記のように、段差コーナー１は段差被覆材３により被覆されている。この段差被覆材３は、図４に示すように、立ち上がり部３ａと立ち上がり部３ａの上端から水平方向に略９０°折り曲げられた水平部３ｂを備える段差コーナー被覆部３０と、段差コーナー被覆部３０の水平部３ｂから床面２側（奥行き方向）に向けて設けられた延設薄層３ｃからなる断面が略逆Ｌ字状の被覆材であって、図１に示すように、段差コーナー被覆部３０の立ち上がり部３ａにより、上記段差コーナー１の立ち上がり面１ａが被覆されると共に、段差コーナー被覆部３０の水平部３ｂにより、上記段差コーナー１の水平面１ｂが被覆される。この段差被覆材３において、昇降時に最も負荷のかかる立ち上がり部３ａと水平部３ｂのコーナー近傍には、幅方向に複数の排水溝３０ｄを有する厚肉部３ｄが形成されており、厚肉部３ｄよりも床面２側の水平部３ｂには、防滑性及び排水性を向上させる複数の凸部３ｅが、並列的に形成されている。このように排水溝３０ｄを有する厚肉部３ｄと複数の凸部３ｅを形成することにより、段差被覆材３の耐久性が向上すると共に排水性が良好なものとなり、また、摩擦力も向上するため、昇降時の転倒を防止し、万一昇降時に転んだとしても、その人の怪我を軽いものとすることができる。
【００２０】
上記のような効果を奏するためには、段差被覆材３は、柔軟で可撓性を有する軟質材料で成形することが望ましいことから、塩化ビニル樹脂やオレフィン樹脂などの熱可塑性合成樹脂が好適に用いられる。段差被覆材３を、塩化ビニル樹脂等の熱可塑性合成樹脂で形成する場合は、表面層と裏面層の間に、合成樹脂やガラス繊維による織布・不織布などの中間層を介在させて、三層構造のシート状積層体にすることが望ましい。
なお、段差被覆材３の材質は、上記のような熱可塑性合成樹脂に限定されるものではなく、熱硬化性樹脂、ゴム、金属、木材などで製造してもよい。また、表面層と中間層と裏面層を備えた三層構造のシート状積層体の他にも、中間層を介在させない二層構造としてもよいし、単層体としてもよい。
【００２１】
上記段差被覆材３の段差コーナー被覆部３０の水平部３ｂに設けられた延設薄層３ｃは、その厚みが０．１〜１．５ｍｍ程度（本実施形態では０．３ｍｍ）の合成樹脂製シートで、水平部３ｂの床面２側の端面から、奥行き方向に３０〜２００ｍｍ程度（本実施形態では１００ｍｍ）延設されている。上記のように、段差コーナー１の水平面１ｂが５〜１００ｍｍ（本実施形態では５０ｍｍ）程度であることから、その水平面１ｂを被覆する段差被覆材３の水平部３ｂも５〜１００ｍｍ（本実施形態では５０ｍｍ）程度であり、従って、立ち上がり部３ａと水平部３ｂの交点から、延設薄層３ｃの端面（床面２側の端面）までの距離は、おおよそ３５〜２５０ｍｍ程度（本実施形態では１５０ｍｍ）になっている。
【００２２】
上記延設薄層３ｃは、熱融着、溶剤溶着、接着剤、粘着剤などにより段差被覆材３の水平部３ｂの裏面に接着されて、積層一体化されている。このように、段差被覆材３と延設薄層３ｃとが別体で、後に一体化する場合は、延設薄層３ｃとして、上記のような合成樹脂製シートの他にも、ガラス繊維や合成樹脂繊維で補強された薄いシートやフィルム（床面２の不陸にも追従可能なもの）など種々のものを用いることができる。その中でも特に、合成樹脂やガラス繊維で形成された線状体・織布・不織布・網体のように、上下方向に貫通口を有するものが望ましい。これは、後述するが、段差被覆材３と床被覆材４を、段差コーナー１及び床面２に接着被覆する際に、接着剤又は粘着剤を一度塗布するだけで施工が可能となり、上下方向の貫通口を通して接着剤層又は粘着剤層が一体化することで、より強固に接着被覆できるからである。また、塗布する時間やオープンタイムを削減できるだけでなく、接着剤層の厚みが削減されることにより、段差の緩和にも繋がるなどの効果も奏する。
なお、延設薄層３ｃがガラス繊維の場合は、段差被覆材３の水平部３ｂと熱圧着により積層一体化してもよい。
【００２３】
本実施形態の延設薄層３ｃの幅は、図４に示すように、段差被覆材３の幅と略同一であるが、段差被覆材３の幅の１／２以上であれば、その役割を果たすものである。この場合、延設薄層３ｃが段差被覆材３の幅方向に部分的に存在し、その部分的な延設薄層３ｃの合計が、段差被覆材３の幅の１／２以上であればよいものであり、例えば、段差被覆材３の幅方向の両端に、それぞれ１／４以上の延設薄層３ｃが存在していてもよい。また、本実施形態では、延設薄層３ｃの一端面が、段差コーナー被覆部３０の立ち上がり部３ａ近傍まで達しているが、延設薄層３ｃを確実に水平部３ｂと積層一体化できるのであれば、水平部３ｂと延設薄層３ｃが重なる面積を少なくする（換言すれば、延設薄層３ｃの一端面を水平部３ｂの床面２側に近づける）ようにしてもよい。それとは反対に、延設薄層３ｃの一端面を段差コーナー被覆部３０の立ち上がり部３ａまで到達させて水平部３ｂと積層一体化してもよいし、さらに、そこから延設薄層３ｃを下方に９０°折り曲げて、水平部３ｂだけでなく立ち上がり部３ａとも積層一体化してもよい。
【００２４】
上記延設薄層３ｃは、本実施形態のように、段差被覆材３と別体で、後に積層一体化するのではなく、初めから段差被覆材３と一体的に設けてもよい。延設薄層３ｃを段差被覆材３と一体的に設ける場合は、水平部３ｂの下側部分（厚みが０．１〜１．５ｍｍ程度）を床面２側に延設すればよく、薄くても破断強度を確保するために、裏面層だけでなく中間層も延設することが望ましい。
【００２５】
次に、床面２を被覆する床被覆材４は、柔軟で可撓性を有する塩化ビニル樹脂やオレフィン樹脂などの熱可塑性合成樹脂で成形されたシート体であって、その厚みは、上記段差被覆材３の水平部３ｂの厚み（厚肉部３ｄや凸部３ｅを除く）と略同一の１〜５ｍｍ程度となっている。この床被覆材４も、上記段差被覆材３と同様に、上記の熱可塑性合成樹脂の他にも、熱硬化性樹脂、ゴム、金属、木材などで製造してもよい。
【００２６】
上記段差被覆材３の段差コーナー被覆部３０の水平部３ｂは、図２に示すように、段差コーナー１の水平面１ｂに接着剤又は粘着剤（粘着剤には両面粘着テープも含み、以下、これら接着剤・粘着剤を併せて接着剤５という。）を塗布し、図３に示すように、段差コーナー１の水平面１ｂに接着被覆される。このとき、段差コーナー被覆部３０の水平部３ｂとオーバーラップしている延設薄層３ｃも段差コーナー１の水平面１ｂに接着被覆される。また、床被覆材４も同様に、接着剤５を床面２に塗布することにより接着被覆される。このとき、水平部３ｂから床面２側に突出した延設薄層３ｃも床面２に接着被覆されることになるが、延設薄層３ｃが、上記のような一枚の合成樹脂製シートであると、延設薄層３ｃを床面２に接着被覆してから、さらに延設薄層３ｃの表面（上側）に接着剤５を塗布し、その延設薄層３ｃの上に床被覆材４を接着被覆する必要が生じるが、延設薄層３ｃとして、合成樹脂やガラス繊維で形成された線状体・織布・不織布・網体のように、上下方向に貫通口を有するものを用いると、床面２に塗布した接着剤５が、該貫通口を通して延設薄層３ｃの表面にまで露出するため、延設薄層３ｃの表面に接着剤５を塗布する手間が省ける。また、接着剤５として粘着剤を用いた場合は、仮の位置合わせの際は、粘着剤が貫通口を通過せず、延設薄層３ｃに床被覆材４が接着被覆されることがないため、床被覆材４の微調整が可能となって、位置合わせが容易となる利点もある。勿論、床被覆材４の位置合わせが決まれば、上方から床被覆材４を押圧することにより、粘着剤が貫通口を通過し、延設薄層３ｃの表面にまで露出するため、床被覆材４は完全に延設薄層３ｃに接着被覆される。
【００２７】
上記のように、接着剤５を段差コーナー１及び床面２に塗布する際は、櫛目ごて（不図示）を用いて、多数の凸条が間隔を開けて形成されるようにすることが望ましい。このように、櫛目ごてを用いて接着剤５を塗布すると、万が一、段差被覆材３と床被覆材４の継目７から水が浸入しても、凸条である接着剤５が堰の役割を果たして、床面２全体に水が広がってしまうのを防止することができる。
【００２８】
上記のように、段差被覆材３及び床被覆材４を床面２に接着被覆する接着剤５には、接着剤だけでなく粘着剤（両面粘着テープを含む）も含まれるが、接着剤を用いる場合は、湿気反応型、二液混合反応型のウレタン系接着剤、エポキシ系接着剤、変成シリコーンなどが好適に用いられ、その中でも湿気反応型ウレタン系接着剤を、上記櫛目ごてを用いて塗布することが望ましい。一方、接着剤５として粘着剤を用いる場合は、アクリル系の粘着剤が特に好適に用いられる。
【００２９】
一方、段差被覆材３の段差コーナー被覆部３０の立ち上がり部３ａは、図２に示すように、立ち上がり部３ａの裏面に貼着された両面粘着テープ３ｆの剥離紙を剥がし、段差コーナー１の立ち上がり面１ａに接着被覆する。そして、図３に示すように、立ち上がり部３ａの下端をシーリング材６によってシールし、そこからの水の浸入を阻止する。
【００３０】
上記のように、段差被覆材３を段差コーナー１に接着被覆し、延設薄層３ｃ及び床被覆材４を床面２に接着被覆すると、段差被覆材３の水平部３ｂと床被覆材４の継目７を封止することが望ましい。この継目７を封止するには、例えば合成樹脂製溶接棒により熔接したり、シーリング材によりシールしたり、或いは、シーム液又はドープセメント（合成樹脂を溶解した溶剤）により溶着することによって行う。このように段差被覆材３と床被覆材４の継目７を封止することにより、継目７からの水の浸入を阻止することができ、万が一、継目７から水が浸入したとしても、継目７の下方には延設薄層３ｃが存在するため、浸入した水が床面２まで到達することが殆どなくなって、もし床面２まで水が達したとしても、上記のように、凸条である接着剤５が堰の役割を果たして、床面２全体に水が広がってしまうのを防止する。
【００３１】
以上のような本発明の段差被覆構造は、段差被覆材３の奥行き寸法（水平部３ｂの奥行き寸法）が、従来の階段用床材と比較すると大幅に短いため、段差被覆材３が目立たない。従って、段差被覆材３の意匠感が床被覆材４の意匠感と多少異なっていたとしても、違和感を抱くことが殆どなく、また、床被覆材４との継目７も目立たち難くなるため、従来と比較すると、美観が大幅に向上される。このように、本発明の段差被覆材３は奥行き寸法が短いにも拘わらず、延設薄層３ｃが設けられているため、段差被覆材３の段差コーナー被覆部３０が段差コーナー１に接着被覆されるだけでなく、延設薄層３ｃも床面２に接着被覆されることから、段差被覆材３は広大な接着面積を有する。それに加えて、延設薄層３ｃは、段差コーナー１及び床面２だけでなく床被覆材４とも接着一体化されるため、極めて強固に接着被覆されて、ずれが生じたり剥がれたりするという不具合は皆無に等しく、昇降時の安全性が大幅に向上する。
【００３２】
図５はもう一つの本発明の段差被覆構造を示す平面図、図６は図５のＡ−Ａ線端面図、図７は図５のＢ−Ｂ線端面図である。
【００３３】
前述した図１〜図４に示す段差被覆構造は、主にマンションや公共施設のエントランスなどのように、段差コーナー１が一つの箇所に施工されるものであったのに対し、図５に示す実施形態の段差被覆構造は、廊下に続く階段や踊り場を有する階段のように、立ち上がり面１ａと水平面１ｂからなる複数の段差コーナー１と、最上段以外の段差コーナー１、及び、該段差コーナー１の水平面１ｂから続く階段の踏み面Ｆ２の略全面と、最上段の段差コーナー１の水平面１ｂから続く床面２とを被覆材により被覆したものである。
【００３４】
本実施形態の段差被覆構造においては、３種類の被覆材を用いる。即ち、最上段の段差コーナー１以外を被覆する段差被覆材（Ａ）（以下、単に段差被覆材３００と記す）と、最上段の段差コーナー１を被覆する段差被覆材（Ｂ）（以下、単に段差被覆材３と記す）と、最上段の段差コーナー１の水平面１ｂから続く床面２を被覆する床被覆材４を用いる。
【００３５】
上記最上段以外の段差コーナー１を被覆する段差被覆材３００は、図７に示すように、立ち上がり部３ａと、立ち上がり部３ａの上端から水平方向に略９０°折り曲げられた奥行きが長い踏み面被覆部３０ｂからなる、断面が略逆Ｌ字状をした合成樹脂製の被覆材であって、この段差被覆材３００により、階段の段差コーナー１（立ち上がり面１ａ、水平面１ｂ）だけでなく、該段差コーナー１の水平面１ｂから続く階段の踏み面Ｆ２の略全面を被覆している。この段差被覆材３００も、前述した実施形態の段差被覆材３と同様に、昇降時に負荷のかかる立ち上がり部３ａと踏み面被覆部３０ｂのコーナー近傍には、幅方向に複数の排水溝３０ｄを有する厚肉部３ｄが形成されており、厚肉部３ｄの踏み面被覆部３０ｂには、防滑性及び排水性を向上させる複数の凸部３ｅと、この凸部３ｅよりも高さが若干低い小凸部３０ｅが、凸部３ｅの奥行き方向に複数形成されている。また、立ち上がり部３ａの下端部の裏面（立ち上がり面１ａ側）には、段差コーナー１の立ち上がり面１ａに接着被覆するための両面粘着テープ３ｆが貼着されている。このように、最上段以外の段差コーナー１を被覆する段差被覆材３００は、小凸部３０ｅが形成されている箇所以外は、前述した図１〜図４に示す段差被覆構造の段差被覆材３と同一ものであり、水平部３ｂを奥行き方向に延設することにより、踏み面被覆部３０ｂを形成したものである。
【００３６】
図５、図６に示すように、上記構成の段差被覆材３００によって、最上段以外の段差コーナー１（段差コーナー１及び踏み面Ｆ２）は被覆されている。図７に示すように、段差被覆材３００を接着被覆するには、前述した実施形態と同様に、櫛目ごてを用いて階段の段差コーナー１及び踏み面Ｆ２に接着剤５を塗布し、段差被覆材３００の踏み面被覆部３０ｂを、階段の段差コーナー１及び踏み面Ｆ２に接着被覆すると共に、立ち上がり部３ａの両面粘着テープ３ｆの剥離紙を剥がして、段差被覆材３００の立ち上がり部３ａを、階段の立ち上がり面１ａに接着する。そして、段差被覆材３００の踏み面被覆部３０ｂの端面及び立ち上がり部３ａの下端を、シーリング材６によってシールし、段差被覆材３００と階段の踏み面Ｆ２の間に水が浸入することを阻止している。
【００３７】
一方、最上段の段差コーナー１は、段差被覆材３により接着被覆する。この段差被覆材３は、前述した図４に示す段差被覆材３と同一のものである。即ち、この段差被覆材３は、図４に示すように、立ち上がり部３ａと立ち上がり部３ａの上端から水平方向に略９０°折り曲げられた水平部３ｂを備える段差コーナー被覆部３０と、段差コーナー被覆部３０の水平部３ｂから床面２側（奥行き方向）に向けて設けられた延設薄層３ｃからなる断面が略逆Ｌ字状の被覆材であって、図６に示すように、この段差コーナー被覆部３０の立ち上がり部３ａにより、階段最上段の段差コーナー１の立ち上がり面１ａが被覆されると共に、段差コーナー被覆部３０の水平部３ｂにより、階段最上段の段差コーナー１の水平面１ｂが被覆される。
【００３８】
この段差被覆材３においても、昇降時に最も負荷のかかる立ち上がり部３ａと水平部３ｂのコーナー部近傍には、幅方向に複数の排水溝３０ｄを有する厚肉部３ｄが形成されており、厚肉部３ｄよりも床面２側の水平部３ｂには、防滑性及び排水性を向上させる複数の凸部３ｅが並列的に形成されている。これによって、段差被覆材３の耐久性が向上すると共に排水性が良好なものとなり、また、摩擦力も向上するため、昇降時の転倒を防止し、万一昇降時に転んだとしても、その人の怪我を軽いものとすることができる。
【００３９】
この段差被覆材３も、柔軟で可撓性を有する塩化ビニル樹脂やオレフィン樹脂などの軟質の熱可塑性合成樹脂によって製造されており、このような材料で段差被覆材３を形成した場合は、表面層と裏面層の間に、合成樹脂やガラス繊維による織布・不織布などの中間層を介在させて、三層構造のシート状積層体にすることが望ましい。
なお、段差被覆材３の材質は、上記のような熱可塑性合成樹脂に限定されるものではないことは前述した通りであり、この他にも、熱硬化性樹脂、ゴム、金属、木材などで製造してもよい。また、表面層と中間層と裏面層を備えた三層構造のシート状積層体の他にも、中間層を介在させない二層構造としてもよいし、単層体としてもよい。
【００４０】
また、上記段差被覆材３の段差コーナー被覆部３０の水平部３ｂに設けられた延設薄層３ｃも、前述した図１〜図４に示す段差被覆構造の段差被覆材３と同様のものである。即ち、その厚みが０．１〜１．５ｍｍ程度（本実施形態では０．３ｍｍ）の合成樹脂製シートであって、水平部３ｂの床面２側の端面から、奥行き方向に３０〜２００ｍｍ程度（本実施形態では１００ｍｍ）延設されている。そして、段差コーナー１の水平面１ｂが５〜１００ｍｍ（本実施形態では５０ｍｍ）程度であることから、その水平面１ｂを被覆する段差被覆材３の水平部３ｂも５〜１００ｍｍ（本実施形態では５０ｍｍ）程度である。従って、立ち上がり部３ａと水平部３ｂの交点から、延設薄層３ｃの端面（床面２側の端面）までの距離は、おおよそ３５〜２５０ｍｍ程度（本実施形態では１５０ｍｍ）になっている。
【００４１】
上記延設薄層３ｃは、熱融着、溶剤溶着、接着剤、粘着剤などにより段差被覆材３の水平部３ｂの裏面に接着されて積層一体化されるのも、前述した図１〜図４に示す段差被覆構造の段差被覆材３と同様であり、このように、段差被覆材３と延設薄層３ｃとが別体で、後に一体化する場合は、延設薄層３ｃとして、ガラス繊維や合成樹脂繊維で補強された薄いシートやフィルム（床面２の不陸にも追従可能なもの）など種々のものを用いることができるが、その中でも特に、合成樹脂やガラス繊維で形成された線状体・織布・不織布・網体のように、上下方向に貫通口を有するものが望ましい。このような貫通口を有する線状体・織布・不織布・網体を延設薄層３ｃにすると、前述したように、段差被覆材３と床被覆材４を、段差コーナー１及び床面２に接着被覆する際に、接着剤又は粘着剤を一度塗布するだけで施工が可能となり、上下方向の貫通口を通して接着剤層又は粘着剤層が一体化することで、より強固に接着被覆できる。また、塗布する時間やオープンタイムを削減できるだけでなく、接着剤層の厚みが削減されることにより、段差の緩和にも繋がるなどの効果も奏する。
なお、同様に、延設薄層３ｃがガラス繊維の場合は、段差被覆材３の水平部３ｂと熱圧着により積層一体化してもよい。
【００４２】
また、本実施形態の延設薄層３ｃの幅は、図４に示すように、段差被覆材３の幅と略同一であるが、段差被覆材３の幅の１／２以上であれば、その役割を果たすことも同様であり、この場合、延設薄層３ｃが段差被覆材３の幅方向に部分的に存在し、その部分的な延設薄層３ｃの合計が、段差被覆材３の幅の１／２以上であればよい。例えば、段差被覆材３の幅方向の両端に、それぞれ１／４以上の延設薄層３ｃが存在していてもよいのである。この延設薄層３ｃの一端面は、段差コーナー被覆部３０の立ち上がり部３ａ近傍まで達しているが、延設薄層３ｃを確実に水平部３ｂと積層一体化できるのであれば、水平部３ｂと延設薄層３ｃが重なる面積を少なくする（換言すれば、延設薄層３ｃの一端面を水平部３ｂの床面２側の端面に近づける）ようにしてもよいことも同様である。それとは反対に、延設薄層３ｃの一端面を段差コーナー被覆部３０の立ち上がり部３ａまで到達させて水平部３ｂと積層一体化してもよいし、さらに、そこから延設薄層３ｃを下方に９０°折り曲げて、水平部３ｂだけでなく立ち上がり部３ａとも積層一体化してもよいものである。
【００４３】
同様に、上記延設薄層３ｃは、段差被覆材３と別体で、後に積層一体化するのではなく、初めから段差被覆材３と一体的に形成してもよく、延設薄層３ｃを段差被覆材３と一体的に設ける場合は、水平部３ｂの下側部分（厚みが０．１〜１．５ｍｍ程度）を床面２側に延設し、薄くても破断強度を確保するために、裏面層だけでなく中間層も延設することが望ましい。
【００４４】
次に、最上段の段差コーナー１から続く床面２を被覆する床被覆材４も、前述した図１〜図４に示す段差被覆構造の床被覆材４と同様のものを用いる。即ち、床被覆材４は、柔軟で可撓性を有する塩化ビニル樹脂やオレフィン樹脂などの熱可塑性合成樹脂で成形されたシート体であって、その厚みは、上記段差被覆材３の水平部３ｂの厚み（厚肉部３ｄや凸部３ｅを除く）と略同一の１〜５ｍｍ程度となっている。そして、上記段差被覆材３と同様に、上記の熱可塑性合成樹脂の他にも、熱硬化性樹脂、ゴム、金属、木材などで床被覆材４を製造してもよい。
【００４５】
上記段差被覆材３の段差コーナー被覆部３０の水平部３ｂは、前述した図２に示す実施形態と同様に、最上段の段差コーナー１の水平面１ｂに接着剤５を塗布し、図３に示すように、最上段の段差コーナー１の水平面１ｂに接着被覆される。このとき、段差コーナー被覆部３０の水平部３ｂとオーバーラップしている延設薄層３ｃも段差コーナー１の水平面１ｂに接着被覆される。また、床被覆材４も同様に、接着剤５を床面２に塗布することにより接着被覆される。このとき、水平部３ｂから床面２側に突出した延設薄層３ｃも床面２に接着被覆されることになるが、延設薄層３ｃが、上記のような一枚の合成樹脂製シートであると、延設薄層３ｃを床面２に接着被覆してから、さらに延設薄層３ｃの表面（上側）に接着剤５を塗布し、その延設薄層３ｃの上に床被覆材４を接着被覆する必要が生じるが、延設薄層３ｃとして、合成樹脂やガラス繊維で形成された線状体・織布・不織布・網体のように、上下方向に貫通口を有するものを用いると、床面２に塗布した接着剤５が、該貫通口を通して延設薄層３ｃの表面にまで露出するため、延設薄層３ｃの表面に接着剤５を塗布する手間が省けることも同様である。また、接着剤５として粘着剤を用いた場合は、仮の位置合わせの際は、粘着剤が貫通口を通過せず、延設薄層３ｃに床被覆材４が接着被覆されることがないため、床被覆材４の微調整が可能となって、位置合わせが容易となる利点があり、床被覆材４の位置合わせが決まれば、上方から床被覆材４を押圧することにより、粘着剤が貫通口を通過し、延設薄層３ｃの表面にまで露出するため、床被覆材４は完全に延設薄層３ｃに接着被覆される。
【００４６】
そして、前述した図１〜図４に示す段差被覆構造と同様に、接着剤５を段差コーナー１及び床面２に塗布する際は、櫛目ごて（不図示）を用いて、多数の凸条が間隔を開けて形成されるように水平面１ｂ及び床面２に接着剤５を塗布することが望ましい。このように、櫛目ごてを用いて接着剤５を塗布すると、万が一、段差被覆材３と床被覆材４の継目７から水が浸入しても、凸条である接着剤５が堰の役割を果たして、全体に水が広がってしまうのを防止することができる。
【００４７】
上記のように、段差被覆材３及び床被覆材４を床面２に接着被覆する接着剤５には、接着剤だけでなく粘着剤（両面粘着テープを含む）が含まれるが、接着剤を用いる場合は、湿気反応型、二液混合反応型のウレタン系接着剤、エポキシ系接着剤、変成シリコーンなどが好適に用いられ、その中でも湿気反応型ウレタン系接着剤を、上記櫛目ごてを用いて塗布することが望ましい。一方、接着剤５として粘着剤を用いる場合は、アクリル系の粘着剤が特に好適に用いられることも、前述した図１〜図４に示す段差被覆構造と同様である。
【００４８】
一方、段差被覆材３の段差コーナー被覆部３０の立ち上がり部３ａは、図６に示すように、立ち上がり部３ａの裏面に貼着された両面粘着テープ３ｆの剥離紙を剥がし、最上段の段差コーナー１の立ち上がり面１ａに接着被覆されると共に、立ち上がり部３ａの下端はシーリング材６によってシールされて、そこからの水の浸入は阻止される。
【００４９】
上記のように、段差被覆材３を段差コーナー１に接着被覆し、延設薄層３ｃ及び床被覆材４を床面２に接着被覆すると、段差被覆材３の水平部３ｂと床被覆材４の継目７を封止する。この継目７を封止するには、同様に、合成樹脂製溶接棒により熔接したり、シーリング材によりシールしたり、或いは、シーム液又はドープセメント（合成樹脂を溶解した溶剤）により溶着することによって行う。このように段差被覆材３と床被覆材４の継目７を封止することにより、継目７からの水の浸入を阻止することができ、万が一、継目７から水が浸入したとしても、継目７の下方には延設薄層３ｃが存在するため、浸入した水が床面２まで到達することが殆どなくなって、もし床面２まで水が達したとしても、凸条である接着剤５が堰の役割を果たして、床面２全体に水が広がってしまうのを防止する。
【００５０】
以上のような構成の本発明の段差被覆構造は、最上段の段差コーナー１を被覆する段差被覆材３が目立たないため、段差被覆材３の意匠感が床被覆材４の意匠感と多少異なっていたとしても、違和感を抱くことが殆どなく、段差被覆材３と床被覆材４の継目７も目立たち難くなるため、従来と比較すると、全体としての美観が大幅に向上される。この段差被覆材３にも延設薄層３ｃが設けられていることから、広大な接着面積を有し、延設薄層３ｃは、段差コーナー１及び床面２だけでなく床被覆材４とも接着一体化されるため、極めて強固に接着被覆されて、ずれが生じたり剥がれたりする不具合が発生する心配がなくなると共に、段差被覆材３と床被覆材４の継目７から、万一水が浸入したとしても、継目７の下方には延設薄層３ｃが存在するため、浸入した水が床面まで達することもない。このような段差被覆構造は、特に、段差コーナー１を複数有する廊下に続く階段や踊り場を有する階段などに適している。
【符号の説明】
【００５１】
１    段差コーナー
１ａ  立ち上がり面
１ｂ  水平面
２    床面
Ｆ２  踏み面
３    段差被覆材（Ｂ）
３００  段差被覆材（Ａ）
３ａ  立ち上がり部
３ｂ  水平部
３０ｂ  踏み面被覆部
３０  段差コーナー被覆部
３ｃ  延設薄層
３ｄ  厚肉部
３０ｄ  排水溝
３ｅ  凸部
３０ｅ  小凸部
３ｆ  両面粘着テープ
４    床被覆材
５    接着剤
６    シーリング材
７    継目
【図１】
2017025632.tif 000003
【図２】
2017025632.tif 000004
【図３】
2017025632.tif 000005
【図４】
2017025632.tif 000006
【図５】
2017025632.tif 000007
【図６】
2017025632.tif 000008
【図７】
2017025632.tif 000009